(57)【要約】【課題】  複数の通信間でやり取りされる情報の相互利用を可能とする情報通信システム、情報通信方法、及び通信管理サーバを提供する。【解決手段】  情報通信システム１では、パケット通信網３０及びテレビ電話通信網４０の各ルートを介してそれぞれ受信した端末特定情報を判断部１０２で照合する。このとき、各ルートから取得した端末特定情報が同一であれば、各通信網３０，４０を介して接続している通信端末１０が同一であることを特定できる。これにより、パケット通信網３０でやり取りされる情報と、テレビ電話通信網４０でやり取りされる情報との相互利用を図ることが可能となる。また、情報通信システム１では、双方向通信が可能な２つの通信方式を同一の通信端末１０に対して利用しているので、複雑な情報を迅速にやり取りすることができる。【選択図】  図１
2006101007.tif 000002
【特許請求の範囲】
【請求項１】
通信端末から送信される情報配信要求に応じ、前記通信端末を識別するための端末識別情報の送信を要求する要求情報を、前記通信端末に対して送信する要求情報送信手段と、
前記通信端末から送信される前記端末識別情報を、第１の通信ベアラを使用する第１の通信手段を介して受信する第１の受信手段と、
前記通信端末から送信される前記端末識別情報を、前記第１の通信ベアラと異なる第２の通信ベアラを使用する第２の通信手段を介して受信する第２の受信手段と、
前記第１の受信手段によって受信された前記端末識別情報と、前記第２の受信手段によって受信された前記端末特定情報とを照合し、前記端末識別情報の送信元の通信端末の同一性を判断する判断手段と、を有することを特徴とする情報通信システム。
【請求項２】
要求情報送信手段が、通信端末から送信される情報配信要求に応じ、前記通信端末を識別するための端末識別情報の送信を要求する要求情報を、前記通信端末に対して送信するステップと、
第１の受信手段が、前記通信端末から送信される前記端末識別情報を、第１の通信ベアラを使用する第１の通信手段を介して受信するステップと、
第２の受信手段が、前記通信端末から送信される前記端末識別情報を、前記第１の通信ベアラと異なる第２の通信ベアラを使用する第２の通信手段を介して受信するステップと、
判断手段が、前記第１の受信手段によって受信された前記端末識別情報と、前記第２の受信手段によって受信された前記端末特定情報とを照合し、前記端末識別情報の送信元の通信端末の同一性を判断するステップと、を有することを特徴とする情報通信方法。
【請求項３】
通信端末から送信される情報配信要求に応じ、前記通信端末を識別するための端末識別情報の送信を要求する要求情報を、前記通信端末に対して送信する要求情報送信手段と、
前記通信端末から送信される前記端末識別情報を、第１の通信ベアラを使用する第１の通信手段を介して受信する第１の受信手段と、
前記通信端末から送信される前記端末識別情報を、前記第１の通信ベアラと異なる第２の通信ベアラを使用する第２の通信手段を介して受信する第２の受信手段と、
前記第１の受信手段によって受信された前記端末識別情報と、前記第２の受信手段によって受信された前記端末特定情報とを照合し、前記端末識別情報の送信元の通信端末の同一性を判断する判断手段と、を有することを特徴とする通信管理サーバ。
【発明の詳細な説明】
【技術分野】
【０００１】
本発明は、情報通信システム、情報通信方法、及び通信管理サーバに関する。
【背景技術】
【０００２】
近年、音声通話のような本来的な機能に加え、パケット通信によるインターネットやテレビ電話通信等の利用が可能な通信端末が登場している。また、一台の通信端末を対象として、これら複数の通信方式を同時に利用したシステムも存在する。例えば、特許文献１に記載の通信システムでは、放送局から第１の伝送媒体を介して端末側に個人情報を要求し、端末側から第２の伝送媒体を介して送られる個人情報を認証局で認証している。
【特許文献１】特開２００１−７８１６７号公報
【発明の開示】
【発明が解決しようとする課題】
【０００３】
ところが、上述した特許文献１に記載の通信システムでは、複数の通信方式を同時に利用しているものの、通信先の端末の同一性を特定する手段が設けられておらず、各通信間の関連付けがなされていない。そのため、一の通信方式でやり取りされる情報に他の通信方式でやり取りされる情報を付加する、といった情報の相互利用を図ることができないという解決すべき技術的な課題があった。
【０００４】
本発明は上記課題の解決のためになされたもので、複数の通信間でやり取りされる情報の相互利用を可能とする情報通信システム、情報通信方法、及び通信管理サーバを提供することを目的とする。
【課題を解決するための手段】
【０００５】
上記課題の解決のため、本発明に係る情報通信システムは、通信端末から送信される情報配信要求に応じ、通信端末を識別するための端末識別情報の送信を要求する要求情報を、通信端末に対して送信する要求情報送信手段と、通信端末から送信される端末識別情報を、第１の通信ベアラを使用する第１の通信手段を介して受信する第１の受信手段と、通信端末から送信される端末識別情報を、第１の通信ベアラと異なる第２の通信ベアラを使用する第２の通信手段を介して受信する第２の受信手段と、第１の受信手段によって受信された端末識別情報と、第２の受信手段によって受信された端末特定情報とを照合し、端末識別情報の送信元の通信端末の同一性を判断する判断手段と、を有することを特徴としている。
【０００６】
この情報通信システムでは、第１の通信手段及び第２の通信手段を介してそれぞれ受信した端末特定情報を照合するので、各ルートから取得した端末特定情報が同一であれば、各通信手段を介して接続している通信端末が同一であることを特定できる。これにより、第１の通信手段でやり取りされる情報に第２の通信手段でやり取りされる情報を付加する、といった情報の相互利用を図ることが可能となる。また、複数の通信手段を同一の通信端末に対して利用するので、複雑な情報を迅速にやり取りすることができる。
【０００７】
また、本発明に係る情報通信方法は、要求情報送信手段が、通信端末から送信される情報配信要求に応じ、通信端末を識別するための端末識別情報の送信を要求する要求情報を、通信端末に対して送信するステップと、第１の受信手段が、通信端末から送信される端末識別情報を、第１の通信ベアラを使用する第１の通信手段を介して受信するステップと、第２の受信手段が、通信端末から送信される端末識別情報を、第１の通信ベアラと異なる第２の通信ベアラを使用する第２の通信手段を介して受信するステップと、判断手段が、第１の受信手段によって受信された端末識別情報と、第２の受信手段によって受信された端末特定情報とを照合し、端末識別情報の送信元の通信端末の同一性を判断するステップと、を有することを特徴としている。
【０００８】
この情報通信方法では、第１の通信手段及び第２の通信手段を介してそれぞれ受信した端末特定情報を照合するので、各ルートから取得した端末特定情報が同一であれば、各通信手段を介して接続している通信端末が同一であることを特定できる。これにより、第１の通信手段でやり取りされる情報に第２の通信手段でやり取りされる情報を付加する、といった情報の相互利用を図ることが可能となる。また、複数の通信手段を同一の通信端末に対して利用するので、複雑な情報を迅速にやり取りすることができる。
【０００９】
また、本発明に係る通信管理サーバは、通信端末から送信される情報配信要求に応じ、通信端末を識別するための端末識別情報の送信を要求する要求情報を、通信端末に対して送信する要求情報送信手段と、通信端末から送信される端末識別情報を、第１の通信ベアラを使用する第１の通信手段を介して受信する第１の受信手段と、通信端末から送信される端末識別情報を、第１の通信ベアラと異なる第２の通信ベアラを使用する第２の通信手段を介して受信する第２の受信手段と、第１の受信手段によって受信された端末識別情報と、第２の受信手段によって受信された端末特定情報とを照合し、端末識別情報の送信元の通信端末の同一性を判断する判断手段と、を有することを特徴としている。
【００１０】
この通信管理サーバでは、第１の通信手段及び第２の通信手段を介してそれぞれ受信した端末特定情報を照合するので、各ルートから取得した端末特定情報が同一であれば、各通信手段を介して接続している通信端末が同一であることを特定できる。これにより、第１の通信手段でやり取りされる情報に第２の通信手段でやり取りされる情報を付加する、といった情報の相互利用を図ることが可能となる。また、複数の通信手段を同一の通信端末に対して利用するので、複雑な情報を迅速にやり取りすることができる。
【発明の効果】
【００１１】
以上説明したように、本発明に係る情報通信システム、情報通信方法、及び通信管理サーバによれば、複数の通信間でやり取りされる情報の相互利用を可能とすることができる。
【発明を実施するための最良の形態】
【００１２】
以下、図面を参照しながら、本発明に係る情報通信システム、情報通信方法、及び通信管理サーバの好適な実施形態について詳細に説明する。
【００１３】
図１は、本発明に従って構成された情報通信システム１の一実施形態を示すシステム構成図である。図１を参照しながら情報通信システム１の構成について説明する。情報通信システム１は、通信端末１０と、通信管理サーバ２０とを備えている。通信端末１０と通信管理サーバ２０とは、パケット（第１の通信ベアラ）による通信が可能なパケット通信網（第１の通信手段）３０及び音声・映像データ（第２の通信ベアラ）による通信が可能なテレビ電話通信網（第２の通信手段）４０を介し、それぞれ双方向に通信可能に接続されている。かかる構成により情報通信システム１は、通信端末１０を対象としてパケット通信及びテレビ電話通信による情報の送受信が可能となっており、通信端末１０からの情報配信要求に応じて情報を配信するシステムとして構成されている。引き続き、情報通信システム１の各構成要素について説明する。
【００１４】
通信端末１０は、情報通信システム１を利用するユーザが所有する装置であり、例えば通常の音声通話機能に加えて、テレビ電話機能やパケット通信機能が搭載された携帯電話機として構成されている。この通信端末１０は、物理的には、ＣＰＵ（中央処理装置）、メモリといった記憶装置、プッシュボタンといった入力装置、ディスプレイといった表示装置等を有している。
【００１５】
また、通信端末１０は、内部にＵＩＭ（Ｕｓｅｒ  Ｉｄｅｎｔｉｔｙ  Ｍｏｄｕｌｅ）を搭載している（図示しない）。ＵＩＭには、通信端末１０を特定するための証明書情報が格納されている。さらに、証明書情報には通信端末１０を特定するための端末特定情報が含まれている。この端末特定情報は、例えば通信端末１０に固有の製造番号を示す情報であり、１０桁以上のユニークな英数字列を用いて構成されている。
【００１６】
この通信端末１０は、通信管理サーバ２０に対して情報の配信を要求するにあたり、パケット通信網３０を介して通信管理サーバ２０に配信要求情報を送信する。また、通信端末１０は、送信した配信要求情報に応じて通信管理サーバ２０から端末特定情報を要求する要求情報を受信した場合にはＵＩＭから端末特定情報の読み出しを行う。そして、通信端末１０は、パケット通信網３０及びテレビ電話通信網４０のそれぞれのルートを通じて端末特定情報を通信管理サーバ２０に送信する。
【００１７】
通信管理サーバ２０は、通信端末１０に向けて情報を配信する配信事業者が管理するサーバである。通信管理サーバ２０は、物理的には、ＣＰＵ、メモリ、通信インタフェイス、ハードディスクといった格納部、ディスプレイといった表示部、等を備えたコンピュータシステムである。また、通信管理サーバ２０は、機能的な構成要素として、パケット通信制御部１００、テレビ電話通信制御部１０１、判断部（判断手段）１０２、配信部１０３、を備えている。引き続いて、通信管理サーバ２０の各構成要素について説明する。
【００１８】
パケット通信制御部１００は、通信端末１０との間で送受信されるパケットのやり取りを制御する部分である。このパケット通信制御部１００は、パケット送受信部１１０、端末特定情報要求送信部（要求情報送信手段）１１１、端末特定情報受信部（第１の受信手段）１１２、を備えている。
【００１９】
パケット送受信部１１０は、パケット通信網３０を介し、通信端末１０との間でパケットの送受信を行う部分である。このパケット送受信部１１０は配信部１０３と接続されており、送受信するパケットの内容は配信部１０３によって管理されている。また、パケット送受信部１１０は、通信端末１０から送信されたパケットに配信要求情報が含まれている場合には、この情報を端末特定情報要求送信部１１１に出力する。
【００２０】
端末特定情報要求送信部１１１は、通信端末１０からの情報配信要求に応じ、通信端末１０を識別するための端末識別情報の送信を要求する要求情報を、通信端末１０に対して送信する部分である。すなわち、端末特定情報要求送信部１１１は、パケット送受信部１１０から配信要求情報を受け取ると、パケット通信網３０を介して端末識別情報の要求情報を通信端末１０に送信する。また、端末特定情報要求送信部１１１は、要求情報を送信した後、端末特定情報の待ち受け状態への移行を指示する指示情報を判断部１０２に向けて出力する。
【００２１】
端末特定情報受信部１１２は、通信端末１０から送信された端末識別情報を、パケット通信網３０を介して受信する部分である。端末特定情報受信部１１２は、受信した端末特定情報を判断部１０２に出力する。
【００２２】
テレビ電話通信制御部１０１は、通信端末１０との間で送受信されるテレビ電話通信用の音声・映像データのやり取りを制御する部分である。このテレビ電話通信制御部１０１は、音声・映像データ送受信部１２０、端末特定情報受信部（第２の受信手段）１２１、を備えている。
【００２３】
音声・映像データ送受信部１２０は、テレビ電話通信網４０を介し、通信端末１０との間で音声・映像データの送受信を行う部分である。この音声・映像データ送受信部１２０は配信部１０３と接続されており、送受信する音声・映像データの内容は配信部１０３によって管理されている。音声・映像データの規格は、例えば第３世代移動通信で用いられる規格（３Ｇ−３２４Ｍ）に準拠しており、音声データ領域及び映像データ領域の他にオプション領域（空き領域）を有している。通信端末１０において、このオプション領域に端末特定情報を書き込むことで、テレビ電話通信と並行して端末特定情報のやり取りすることが可能となっている。
【００２４】
端末特定情報受信部１２１は、通信端末１０から送信された端末識別情報を、テレビ電話通信網４０を介して受信する部分である。端末特定情報受信部１１２は、受信した端末特定情報を判断部１０２に出力する。
【００２５】
判断部１０２は、パケット通信制御部１００の端末特定情報受信部１１２によって受信された端末識別情報と、テレビ電話通信制御部１０１の端末特定情報受信部１２１によって受信された端末特定情報とを照合し、この端末識別情報の送信元の通信端末１０の同一性を判断する部分である。より具体的には、判断部１０２は端末特定情報要求送信部１１１から指示情報を受け取ると、この指示情報をトリガーとして端末特定情報の待ち受け状態へ移行する。そして、この待ち受け状態において各端末特定情報受信部１１２，１２１からそれぞれ端末特定情報を受け取ると、各端末特定情報が示す英数字列同士の比較を行う。そして、判断部１０２は、英数字列が互いに一致する場合には各端末識別情報の送信元の通信端末が同一であると判断する。また、英数字列が一致しない場合には各端末識別情報の送信元の通信端末が同一でないと判断する。判断部１０２は、通信端末の同一性の判断結果を示す結果情報を生成し、この結果情報を配信部１０３に出力する。
【００２６】
配信部１０３は、パケット送受信部１１０及び音声・映像データ送受信部１２０から通信端末１０に配信される情報（コンテンツ）を制御及び管理する部分である。配信部１０３は、判断部１０２から受け取った結果情報により通信端末１０の同一性が確認された場合には、各通信網３０，４０を介して通信端末１０との間でやり取りされる情報同士の関連付けを行い、この関連付けされた情報をパケット送受信部１１０及び音声・映像データ送受信部１２０を通じて通信端末１０に送信する。また、配信部１０３は、通信端末１０の同一性が確認できなかった場合には情報の関連付けは行わない。この場合、配信部１０３は、通常の処理に従ってパケット通信網３０及びテレビ電話通信網４０ごとにそれぞれ独立の情報送信を行うようにパケット送受信部１１０及び音声・映像データ送受信部１２０を制御する。
【００２７】
続いて、図２に示すシーケンス図を参照しながら情報通信システム１の動作について説明する。
【００２８】
まず、通信端末１０とパケット通信制御部１００との間に通信を確立させる（ステップＳ０１）。次に通信端末１０とテレビ電話通信制御部１０１との間に通信を確立させる（ステップＳ０２）。この通信確立のステップは１つに集約してもよい。例えばテレビ電話の発信と同時にパケット通信を開始させるようにしてもよい。
【００２９】
通信確立のステップが終了した後、ユーザが情報の配信を要求する場合には、ユーザによる通信端末１０の操作によって、パケット通信網３０を介して通信端末１０からパケット送受信部１１０に配信要求情報が送信される（ステップＳ０３）。パケット送受信部１１０によって受信された配信要求情報は端末特定情報要求送信部１１１に出力される。そして、パケット送受信部１１０から配信要求情報を受け取った端末特定情報要求送信部１１１により、パケット通信網３０を介して端末識別情報の要求情報が通信端末１０に送信される（ステップＳ０４）。また、要求情報の送信の後、端末特定情報の待ち受け状態への移行を指示する指示情報が端末特定情報要求送信部１１１から判断部１０２に向けて出力される。
【００３０】
一方、端末識別情報の要求情報を受信した通信端末１０では、通信管理サーバ２０から端末特定情報の要求がなされていることがユーザに通知される。また、例えば「はい／いいえ」と記載されたポップアップウィンドウをディスプレイに表示することで、ユーザに対して端末特定情報の送信の意思確認を行う（ステップＳ０５）。ここで、ユーザが「はい」を選択した場合、パケット通信網３０及びテレビ電話通信網４０のそれぞれのルートを通じ、通信端末１０から通信管理サーバ２０に端末特定情報が送信される（Ｓ０６）。ユーザが「いいえ」を選択した場合、端末特定情報の送信は行われず、処理が終了する。
【００３１】
ステップＳ０６において、パケット通信網３０及びテレビ電話通信網４０の各ルートで送信された端末特定情報は、パケット通信制御部１００の端末特定情報受信部１１２及びテレビ電話通信制御部１０１の端末特定情報受信部１２１によって受信され、判断部１０２にそれぞれ出力される。判断部１０２は、受け取った２つの端末特定情報を照合し（ステップＳ０７）、端末特定情報が示す英数字列が互いに一致しているか否かに基づいて、端末識別情報の送信元である通信端末１０の同一性の判断を行う（ステップＳ０８）。ステップＳ０８における判断処理を行った後、判断部１０２は、通信端末の同一性の判断結果を示す結果情報を生成し、この結果情報を配信部１０３に出力する。
【００３２】
配信部１０３では、判断部１０２から受け取った結果情報に基づいて配信する情報の制御を行う。すなわち、通信端末１０の同一性が確認された場合には、各通信網３０，４０を介して通信端末１０との間でやり取りされる情報同士の関連付けを行い（ステップＳ０９）、この関連付けされた情報をパケット送受信部１１０及び音声・映像データ送受信部１２０を通じて通信端末１０に送信する（ステップＳ１０）。また、配信部１０３は、通信端末１０の同一性が確認できなかった場合には情報の関連付けは行わず、通常の処理に従ってパケット通信網３０及びテレビ電話通信網４０ごとにそれぞれ独立の情報送信を行うようにパケット送受信部１１０及び音声・映像データ送受信部１２０を制御する。
【００３３】
以上説明したように、本実施形態にかかる情報通信システム１では、パケット通信網３０及びテレビ電話通信網４０の各ルートを介してそれぞれ受信した端末特定情報を判断部１０２で照合する。このとき、各ルートから取得した端末特定情報が同一であれば、各通信網３０，４０を介して接続している通信端末１０が同一であることを特定できる。これにより、パケット通信網３０でやり取りされる情報と、テレビ電話通信網４０でやり取りされる情報との相互利用を図ることが可能となる。例えば、テレビ電話通信網４０経由で通信端末１０に配信する情報番組のチャンネルを、パケット通信網３０経由で通信端末１０から受信した指示内容に基づいて選択・変更するといった利用方法や、テレビ電話通信網４０経由で通信端末１０に商品情報を配信し、パケット通信網３０経由で電子決済処理を受け付けるといった利用方法が実現可能となる。
【００３４】
また、情報通信システム１では、双方向通信が可能な２つの通信方式を同一の通信端末１０に対して利用しているので、複雑な情報を迅速にやり取りすることができる。これにより、例えばテレビ電話通信網４０経由でオペレータと対話しながら、パケット通信網３０経由で文字・画像情報を配信するといった利用方法が実現可能となる。
【００３５】
なお、本発明は上記実施形態に限られるものではない。例えば、上述した実施形態では、通信端末１０と通信管理サーバ２０間をパケット通信網３０及びテレビ電話通信網４０の２つの通信網を介して接続しているが、通信網の設置数は２つ以上に拡張してもよい。この場合であっても、通信網毎に受信した端末特定情報を通信管理サーバ２０側で照合することにより、上述した実施形態と同様の作用効果を得ることができる。
【図面の簡単な説明】
【００３６】
【図１】本発明に係る情報通信システムの一実施形態を示すシステム構成図である。
【図２】図１に示した情報通信システムの動作を示すシーケンス図である。
【符号の説明】
【００３７】
１…情報通信システム、１０…通信端末、２０…通信管理サーバ、３０…パケット通信網（第1の通信手段）、４０…テレビ電話通信網（第２の通信手段）、１０２…判断部（判断手段）、１１１…端末特定情報要求送信部（要求情報送信手段）、１１２…端末特定情報受信部（第1の受信手段）、１２１…端末特定情報受信部（第２の受信手段）。
【図１】
2006101007.tif 000003
【図２】
2006101007.tif 000004